【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
印刷装置であって、
コンピュータから印刷要求を受信する受信手段と、
前記受信手段で受信した印刷要求を登録する登録手段と、
前記登録手段に登録された印刷要求の処理順序を制御する制御手段と、
印刷要求を前記受信手段によって受信した場合、前記登録手段に登録されている印刷要求の有無を判定する判定手段と、
前記登録手段に登録されている印刷要求がないと前記判定手段によって判定された場合に、前記受信手段で受信した印刷要求を前記登録手段に登録する前に、当該印刷要求を送信したコンピュータに対して印刷データの要求を行う印刷データ要求手段と、
を有することを特徴とする印刷装置。
【請求項２】
前記判定手段は更に、印刷要求を前記受信手段によって受信した場合、前記印刷装置が印刷可能な状態にあるか否かを判定し、
前記印刷データ要求手段は、
前記判定手段によって、前記登録手段に印刷要求が登録されておらず、かつ印刷可能な状態にあると判定した場合に、前記受信手段で受信した印刷要求を前記登録手段によって登録する前に、前記コンピュータに対して印刷データの要求を行うことを特徴とする請求項１に記載の印刷装置。
【請求項３】
前記登録手段に登録されている印刷要求がないと前記判定手段によって判定された場合に、前記受信手段で受信した印刷要求を前記登録手段に登録した後に、当該印刷要求を送信したコンピュータに対して印刷データの要求を行う第２の印刷データ要求手段を有することを特徴とする請求項１あるいは２に記載の印刷装置。
【請求項４】
印刷装置に対して着脱可能なネットワーク接続装置であって、
コンピュータから印刷要求を受信する受信手段と、
前記受信手段で受信した印刷要求を登録する登録手段と、
前記登録手段に登録された印刷要求の処理順序を制御する制御手段と、
印刷要求を前記受信手段によって受信した場合、前記登録手段に登録されている印刷要求の有無を判定する判定手段と、
前記登録手段に登録されている印刷要求がないと前記判定手段によって判定された場合に、前記受信手段で受信した印刷要求を前記登録手段に登録する前に、当該印刷要求を送信したコンピュータに対して印刷データの要求を行う印刷データ要求手段と、
を有することを特徴とするネットワーク接続装置。
【請求項５】
前記判定手段は更に、前記印刷要求を前記受信手段によって受信した場合、前記印刷装置が印刷可能な状態にあるか否かを判定し、
前記印刷データ要求手段は、
前記判定手段によって、前記登録手段に印刷要求が登録されておらず、かつ印刷可能な状態にあると判定した場合に、前記受信手段で受信した印刷要求を前記登録手段に登録する前に、前記コンピュータに対して印刷データの要求を行うことを特徴とする請求項１に記載のネットワーク接続装置。
【請求項６】
印刷制御方法であって、
コンピュータから印刷要求を受信する受信工程と、
前記受信工程で受信した印刷要求を登録手段に登録する登録工程と、
前記受信工程で印刷要求を受信した場合に、前記登録手段に登録されている印刷要求の有無を判定する判定工程と、
前記受信工程で受信した印刷要求を送信したコンピュータに対して印刷データの要求を行う印刷データ要求工程と、
前記登録手段に登録された印刷要求の処理順序を制御する制御工程と、
を有し、
前記登録手段に登録されている印刷要求がないと前記判定工程によって判定された場合には、前記登録工程の前に、前記印刷データ要求工程を行ない、
前記登録手段に登録されている印刷要求があると前記判定工程によって判定された場合には、前記登録工程の後に、前記印刷データ要求工程を行なうことを特徴とする印刷制御方法。
【請求項７】
印刷装置内のプロセッサに、印刷制御方法を実行させることにより印刷を制御する印刷制御プログラムであって、
前記印刷制御方法は、
コンピュータから印刷要求を受信する受信工程と、
前記受信工程で受信した印刷要求を登録手段に登録する登録工程と、
前記受信工程で印刷要求を受信した場合に、前記登録手段に登録されている印刷要求の有無を判定する判定工程と、
前記受信工程で受信した印刷要求を送信したコンピュータに対して印刷データの要求を行う印刷データ要求工程と、
前記登録手段に登録された印刷要求の処理順序を制御する制御工程と、
を有し、
前記登録手段に登録されている印刷要求がないと前記判定工程によって判定された場合には、前記登録工程の前に、前記印刷データ要求工程を行ない、
前記登録手段に登録されている印刷要求があると前記判定工程によって判定された場合には、前記登録工程の後に、前記印刷データ要求工程を行なうことを特徴とする印刷制御プログラム。
【手続補正２】
【補正対象書類名】明細書
【補正対象項目名】０００７
【補正方法】変更
【補正の内容】
【０００７】
上記目的を達成するため、本発明に係る装置は、
印刷装置であって、
コンピュータから印刷要求を受信する受信手段と、
前記受信手段で受信した印刷要求を登録する登録手段と、
前記登録手段に登録された印刷要求の処理順序を制御する制御手段と、
印刷要求を前記受信手段によって受信した場合、前記登録手段に登録されている印刷要求の有無を判定する判定手段と、
前記登録手段に登録されている印刷要求がないと前記判定手段によって判定された場合に、前記受信手段で受信した印刷要求を前記登録手段に登録する前に、当該印刷要求を送信したコンピュータに対して印刷データの要求を行う印刷データ要求手段と、を有することを特徴とする。
【手続補正３】
【補正対象書類名】明細書
【補正対象項目名】０００８
【補正方法】変更
【補正の内容】
【０００８】
印刷装置に対して着脱可能なネットワーク接続装置であって、  コンピュータから印刷要求を受信する受信手段と、
前記受信手段で受信した印刷要求を登録する登録手段と、
前記登録手段に登録された印刷要求の処理順序を制御する制御手段と、
印刷要求を前記受信手段によって受信した場合、前記登録手段に登録されている印刷要求の有無を判定する判定手段と、
前記登録手段に登録されている印刷要求がないと前記判定手段によって判定された場合に、前記受信手段で受信した印刷要求を前記登録手段に登録する前に、当該印刷要求を送信したコンピュータに対して印刷データの要求を行う印刷データ要求手段と、
を有することを特徴とする。
【手続補正４】
【補正対象書類名】明細書
【補正対象項目名】０００９
【補正方法】変更
【補正の内容】
【０００９】
上記目的を達成するため、本発明に係る方法は、
印刷制御方法であって、
コンピュータから印刷要求を受信する受信工程と、
前記受信工程で受信した印刷要求を登録手段に登録する登録工程と、
前記受信工程で印刷要求を受信した場合に、前記登録手段に登録されている印刷要求の有無を判定する判定工程と、
前記受信工程で受信した印刷要求を送信したコンピュータに対して印刷データの要求を行う印刷データ要求工程と、
前記登録手段に登録された印刷要求の処理順序を制御する制御工程と、
を有し、
前記登録手段に登録されている印刷要求がないと前記判定工程によって判定された場合には、前記登録工程の前に、前記印刷データ要求工程を行ない、
前記登録手段に登録されている印刷要求があると前記判定工程によって判定された場合には、前記登録工程の後に、前記印刷データ要求工程を行なうことを特徴とする。
【手続補正５】
【補正対象書類名】明細書
【補正対象項目名】００１０
【補正方法】変更
【補正の内容】
【００１０】
上記目的を達成するため、本発明に係るプログラムは、
印刷装置内のプロセッサに、印刷制御方法を実行させることにより印刷を制御する印刷制御プログラムであって、
前記印刷制御方法は、
コンピュータから印刷要求を受信する受信工程と、
前記受信工程で受信した印刷要求を登録手段に登録する登録工程と、
前記受信工程で印刷要求を受信した場合に、前記登録手段に登録されている印刷要求の有無を判定する判定工程と、
前記受信工程で受信した印刷要求を送信したコンピュータに対して印刷データの要求を行う印刷データ要求工程と、
前記登録手段に登録された印刷要求の処理順序を制御する制御工程と、
を有し、
前記登録手段に登録されている印刷要求がないと前記判定工程によって判定された場合には、前記登録工程の前に、前記印刷データ要求工程を行ない、
前記登録手段に登録されている印刷要求があると前記判定工程によって判定された場合には、前記登録工程の後に、前記印刷データ要求工程を行なうことを特徴とする。